(57)【要約】【課題】カメラ付き電子機器において部品点数の削減又は操作性の向上を達成するマクロ切り替え装置を有する電子機器を提供する。【解決手段】カメラと筐体を有する電子機器であって、回転可能に前記筐体に係合及び固定され、回転により前記カメラによる撮影時の焦点を手動で切り替えることを可能にする切り替えリングを有することを特徴とする電子機器を提供する。【選択図】図３
2007155849.tif 000002
【特許請求の範囲】
【請求項１】
カメラと筐体を有する電子機器であって、
回転可能に前記筐体に係合及び固定され、回転により前記カメラによる撮影時の焦点を手動で切り替えることを可能にする切り替えリングを有することを特徴とする電子機器。
【請求項２】
前記切り替えリングの上面と前記筐体の上面とは同じ高さであることを特徴とする請求項１記載の電子機器。
【請求項３】
前記筐体とは別部材として前記筐体内に固定されたホルダと、
前記切り替えリングと前記ホルダとの間に保持され、前記カメラのレンズを保護するカメラパネルとを更に有することを特徴とする請求項１記載の電子機器。
【請求項４】
前記電子機器は移動式無線通信装置であり、
前記ホルダは前記カメラと前記移動式無線通信装置のアンテナを保持することを特徴とする請求項３記載の電子機器。
【請求項５】
カメラと筐体を有する電子機器であって、
前記筐体とは別部材として前記筐体内に固定され、前記カメラを少なくとも部分的に保持するホルダと、
回転により前記カメラによる撮影時の焦点を手動で切り替えることを可能にする切り替えリングと、
前記切り替えリングと前記ホルダの係合を利用して２つの焦点位置に対応する前記切り替えリングの２つの回転位置でクリック感を与えるクリック手段を更に有することを特徴とする請求項１記載の電子機器。
【請求項６】
前記クリック手段は、
前記切り替えリングと前記ホルダの一方に設けられ、前記２つの回転位置で第１の位置にあり、前記２つの回転位置の間で第１の位置とは異なる第２の位置にあり、前記第１及び第２の位置で変形可能な弾性部材と、
前記切り替えリングと前記ホルダの他方に設けられ、前記弾性部材と接触し、前記弾性部材を前記第１及び第２の位置の間で変形させるカム部とを有することを特徴とする請求項５記載の電子機器。
【請求項７】
前記弾性部材と前記切り替えリングは同一の樹脂材料により一体に構成されていることを特徴とする請求項５記載の電子機器。
【請求項８】
前記カム部と前記ホルダは同一の樹脂材料により一体に構成されていることを特徴とする請求項５記載の電子機器。
【発明の詳細な説明】
【技術分野】
【０００１】
本発明は、一般には、カメラ付き電子機器に係り、特に、カメラの焦点を手動で切り替えることを可能にする装置（「マクロ切り替え装置」と呼ばれる場合もある。）に関する。本発明は、例えば、折り畳み式の携帯電話機（ＰＤＣ：パーソナル・ディジタル・セルラー）、パーソナル・ハンディホン・システム（ＰＨＳ）、その他の移動通信端末（本出願においては、これらを「移動式無線通信装置」と総称する。）に搭載されるカメラ用の回転式マクロ切り替え装置に好適である。
【背景技術】
【０００２】
近年の移動式無線通信装置の普及に伴い、移動式無線通信装置は単に通信を行えるだけにとどまらず、多機能化、部品点数の削減、操作性の向上など様々な需要がある。
【０００３】
多機能化により、最近ではカメラを備えた携帯電話機も提案されている（例えば、特許文献１を参照のこと）。また、携帯電話機の筐体に取り付けられた切り替えリングを回転することによってカメラの焦点位置を手動で変更する焦点切り替え機構も提案されている（例えば、特許文献１を参照のこと）。
【０００４】
図５は、特許文献１のカメラ４の筐体周辺の部分断面図である。切り替えリング１は回転可能に筐体３にカバー６を介して固定されている。切り替えリング１とケース３の間には、ホルダ５に保持されたカメラ４の図示しないレンズを保護する透過窓としてのカメラパネル２が設けられている。切り替えリング１には図示しない突起が設けられ、突起は板バネ７と係合可能である。突起は、２つの焦点位置において、板バネ７と係合する。突起が板バネ７と係合することによってユーザはクリック感（クリック音）を得ることができ、撮影モードを切り替えたこと確認することができる。
【０００５】
その他の従来技術としては、例えば、特許文献２及び３がある。
【特許文献１】特開２００５−２１８１１９号公報
【特許文献２】特開２００５−２７７６４３号公報
【特許文献２】特開２００５−１８９４１４号公報
【発明の開示】
【発明が解決しようとする課題】
【０００６】
しかし、特許文献１は、切り替えリング１を固定するカバー６を筐体３に配置し、また、切り替えリング１による焦点変更時にクリック感を与えるために板バネ７を必要とするなど部品点数が多かった。また、特許文献１では、図５に示すように、切り替えリング１が筐体３から突出しているために引っ掛かり易かった。このため、携帯電話機を落下及び圧迫にてカメラ部を破損したり、カメラパネル２が傷ついたりするおそれがあるなど操作性が十分ではなかった。
【０００７】
そこで、本発明は、カメラ付き電子機器において部品点数の削減又は操作性の向上を達成するマクロ切り替え装置を有する電子機器を提供することを例示的な目的とする。
【課題を解決するための手段】
【０００８】
本発明の一側面としての電子機器は、カメラと筐体を有する電子機器であって、回転可能に前記筐体に係合及び固定され、回転により前記カメラによる撮影時の焦点を手動で切り替えることを可能にする切り替えリングを有することを特徴とする。かかる電子機器によれば、切り替えリングは筐体に係合及び固定され、切り替えリングを固定するカバーは不要である。このため、部品点数を削減している。
【０００９】
前記切り替えリングの上面と前記筐体の上面とは同じ高さであることが好ましい。切り替えリングの突出を防止することによって操作性を向上することができる。前記筐体とは別部材として前記筐体内に固定されたホルダと、前記切り替えリングと前記ホルダとの間に保持され、前記カメラのレンズを保護するカメラパネルとを更に有してもよい。特許文献１はカメラパネルを筐体上に配置していたためカメラパネルとそれを覆う切り替えリングは筐体から突出するおそれがあったが、カメラパネルを筐体とは別部材のホルダで保持することによって上述の突出を防止して操作性を向上することができる。例えば、前記電子機器は移動式無線通信装置であり、前記ホルダは前記カメラと前記移動式無線通信装置のアンテナを保持する。
【００１０】
本発明の別の側面としての電子機器は、カメラと筐体を有する電子機器であって、前記筐体とは別部材として前記筐体内に固定され、前記カメラを少なくとも部分的に保持するホルダと、回転により前記カメラによる撮影時の焦点を手動で切り替えることを可能にする切り替えリングと、前記切り替えリングと前記ホルダの係合を利用して２つの焦点位置に対応する前記切り替えリングの２つの回転位置でクリック感を与えるクリック手段を更に有することを特徴とする。かかる電子機器によれば、クリック手段は、切り替えリングとホルダの係合を利用し、特許文献１に示すような板バネを不要にしている。このため、部品点数を削減することができる。
【００１１】
前記クリック手段は、例えば、前記切り替えリングと前記ホルダの一方に設けられ、前記２つの回転位置で第１の位置にあり、前記２つの回転位置の間で第１の位置とは異なる第２の位置にあり、前記第１及び第２の位置で変形可能な弾性部材と、前記切り替えリングと前記ホルダの他方に設けられ、前記弾性部材と接触し、前記弾性部材を前記第１及び第２の位置の間で変形させるカム部とを有する。
【００１２】
前記弾性部材と前記切り替えリングは同一の樹脂材料により一体に構成されてもよい。また、前記カム部と前記ホルダは同一の樹脂材料により一体に構成されていてもよい。これにより、別部材とするよりも部品点数を削減することができる。
【００１３】
本発明の更なる目的又はその他の特徴は、以下、添付図面を参照して説明される好ましい実施例によって明らかにされるであろう。
【発明の効果】
【００１４】
本発明によれば、カメラ付き電子機器において部品点数の削減又は操作性の向上を達成するマクロ切り替え装置を有する電子機器を提供することができる。
【発明を実施するための最良の形態】
【００１５】
以下、添付図面を参照して、本発明の電子機器の一例である携帯電話機１００について説明する。ここで、図１（ａ）は開口した携帯電話機１００の左側面図、図１（ｂ）は開口した携帯電話機１００の正面図、図１（ｃ）は閉口した携帯電話機１００の正面図、図１（ｄ）は閉口した携帯電話機１００の左側面図、図１（ｅ）は閉口した携帯電話機１００の背面図である。図２は、携帯電話機１００の固定側筐体１２０の一部の分解斜視図である。
【００１６】
携帯電話機１００は、可動側筐体１１０と固定側筐体１２０とがヒンジ部１３０によって折り畳み可能に結合される折り畳み式携帯電話機であり、可動側筐体１１０は固定側筐体１２０に対して回転可能に構成される。ユーザは、携帯電話機１００の不使用時に図１（ａ）のａ１方向に可動側筐体１１０を回転することによって可動側筐体１１０を、図１（ｄ）に示すように、固定側筐体１２０に折り畳むことができる。また、ユーザは、携帯電話機１００の使用時に折り畳まれた可動側筐体１１０を図１（ｄ）のａ２方向に回転することによって可動側筐体１１０を、図１（ａ）に示すように、固定側筐体１２０に対して開口することができる。
【００１７】
可動側筐体１１０は、図１（ｂ）及び図１（ｃ）に示すように、フロントケース１１２とリアケース１１４とを結合した筐体構造を有し、ＬＣＤホルダ（可動側シャーシ）１１６を内蔵すると共に各種部材を収納する。各種部材は、表示部１４０、レシーバ１４２を含む。
【００１８】
表示部１４０は、通信情報（送信情報、着信情報、アドレス帳情報、操作部１５０によって入力された情報、各種機能情報など）を表示するＬＣＤモジュールから構成される。ＬＣＤモジュール１４０は、マグネシウム合金製のＬＣＤホルダ（可動側シャーシ）１１６に保持される。
【００１９】
固定側筐体１２０も、図１（ａ）、図１（ｂ）及び図１（ｅ）に示すように、フロントケース１２２とリアケース１２４とを結合した筐体構造を有し、図２に示すように、キーケース（固定側シャーシ）１２６とホルダ１２８とを内蔵すると共に各種部材を収納する。各種部材は、操作部１５０と、プリント基板１５２と、スピーカー１５３と、バイブレータ１５４と、カメラ１５５、ＩｒＤａパネル１５７、バッテリ部１５８、アンテナ１５９を含む。
【００２０】
フロントケース１２２とリアケース１２４は、例えば、ＡＢＳ樹脂から射出成形によって構成される。両者は、ネジ１２３ａによって結合され、ネジ１２３ａはＡＢＳ樹脂製のネジキャップ１２３ｂとリアカバー１２５に覆われる。リアケース１２４はリアカバー１２５と分離可能に結合される。
【００２１】
操作部１５０は、トラックボール型の操作部と、テンキー型の操作部とを搭載したパッドとフレキシブルモジュールとを有し、通信情報を入力する。パッドから情報が入力され、フレキシブルモジュールはスイッチとして機能する。操作部１５０はマグネシウム合金製のキーケース及びフロントケース１２２に保持される。
【００２２】
プリント基板１５２は、操作部１５０から入力された情報、送受信情報、その他の情報を処理したり、表示部１４０に送信したりする。プリント基板１５２には、通話時にユーザから音声入力される図示しないマイクが取り付けられる。プリント基板１５２は、ＡＢＳ製のホルダ１２８及びキーケースに保持される。
【００２３】
プリント基板１５２はイヤホンが接続可能な端子と、パーソナルコンピュータなどの外部装置との接続端子とを有し、それぞれの端子はリアケース１２４に取り付けられるゴム製カバー１２７ａ及び１２７ｂで覆われる。
【００２４】
スピーカー１５３は、着信音を出力し、リアケース１２４の開口部１２４ｂに取り付けられる。バイブレータ１５４は、スピーカー１５３による発音の代わりに、ユーザに着信を振動によって伝える。
【００２５】
カメラ１５５は静止・動画撮影が可能なモジュールである。マクロ切り替えリング１５５ｂは通常の撮影モードと接写モードとを切り替え（即ち、焦点を切り替え）、リアケース１２４の開口部１２４ａに取り付けられる。アクリル製のアウトカメラパネル１５５ａは、ＡＢＳ製のマクロ切り替えリング１５５ｂに嵌合し、レンズを保護する。
【００２６】
図３（ａ）は、カメラ１５５のマクロ切り替えリング１５５ｂ近傍の部分断面図である。図３（ｂ）は、図１（ｅ）に示すリアケース１２４のマクロ切り替えリング１５５ｂ付近の拡大平面図である。
【００２７】
切り替えリング１５５ｂは回転可能に、図示はないが切り替えリングの爪等にて、リアケース１２４に係合及び固定される。リアケース１２４は図５に示すカバー６の機能を備えているため、カバー６は不要となる。このため、部品点数を削減している。リアケース１２４は部品間の位置決め押さえとして機能する。切り替えリング１５５ｂは、図３（ｂ）に示すように、２つの焦点位置に対応する標準位置Ｓとマクロ位置Ｍとの間で回転可能である。
【００２８】
図３（ａ）に示すように、切り替えリング１５５ｂの上面１５５ｇとリアケース１２４の上面１２４ｃとは同じ高さである。即ち、図１（ｄ）に示すように、リアケース１２４の面は平坦である。図５に示す従来例の切り替えリング１のように筐体３から突出しないので携帯電話機１００の落下及び圧迫によるカメラ部の破損やカメラパネル１５５ｂの破損を防止して操作性を向上することができる。
【００２９】
ホルダ１２８はカメラ１５５やアンテナ１５９を保持する。ホルダ１２８は、リアケース１２４とは別部材として固定側筐体１２０内に固定される。カメラパネル１５５ｂは、図３（ａ）に示すように、切り替えリング１５５ｂとホルダ１２８との間に保持される。図５に示す従来例はカメラパネル２を筐体３上に配置していたためカメラパネル２とそれを覆う切り替えリング１は筐体３から突出するおそれがあった。これに対して、本実施例は、カメラパネル１５５ｂをリアケース１２４とは別部材のホルダ１２８で保持することによって上述の突出を防止して操作性を向上している。
【００３０】
カメラ１５５は、切り替えリング１５５ｂとホルダ１２８の係合を利用して２つの焦点位置に対応する切り替えリング１５５ｂの２つの回転位置Ｓ及びＭでクリック感を与えるクリック手段を更に有する。クリック手段は、切り替えリング１５５ｂとホルダ１２８の係合を利用し、図５に示す従来例のような板バネ７を不要にしている。このため、部品点数を削減することができる。
【００３１】
クリック手段の一例を図４（ａ）及び図４（ｂ）に示す。ここで、図４（ａ）は、ホルダ１２８からマクロ切り替えリング１５５ｂを取り外した部分分解斜視図である。なお、図４（ａ）はカメラパネル１５５ａは省略している。図４（ｂ）は、ホルダ１２８にマクロ切り替えリング１５５ｂを取り付けた様子を示す部分斜視図である。
【００３２】
図４（ａ）及び図４（ｂ）に示すクリック手段は、切り替えリング１５５ｂに設けられ、２つの回転位置Ｓ及びＭで下位置にあり、２つの回転位置ＳとＭの間で上位置にあり、上位置及び下位置間で変形可能な樹脂バネ１５５ｈと、ホルダ１２８に設けられ、樹脂バネ１５５ｈと接触し、樹脂バネ１５５ｈを上位置及び下位置の間で変形させるカム部１２９とを有する。カム部１２９は、凹部１２９ａ及び１２９ｂと、凸部１２９ｃとを有する。樹脂バネ１５５ｈが凹部１２９ａ及び１２９ｂにある時が下位置であり、樹脂バネ１５５ｈが凸部１２９ｃにある時が上位置である。図４（ｂ）においては、樹脂バネ１５５ｈは凹部１２９ａに位置しており、この時が、標準位置Ｓのロック位置である。樹脂バネ１５５ｈが凹部１２９ｂに位置している時はマクロ位置Ｍのロック位置である
樹脂バネ１５５ｈと切り替えリング１５５ｂは同一の樹脂材料により一体に構成される。また、カム部１２９とホルダ１２８は同一の樹脂材料により一体に構成される。これにより、別部材とするよりも部品点数を削減することができる。
【００３３】
ＩｒＤＡパネル１５７は赤外線を利用した近距離のデータ通信に使用される。バッテリ部１５８は、二次電池としてのバッテリパックからなり、それを露出及び覆うレアカバー１２５がリアケース１２４に分離可能に取り付けられる。リアカバー１２５の下にもフロントケース１２２とリアケース１２４とを結合するネジ１２３ａが配置される。アンテナ１５９は、基地局との通信に使用される。
【００３４】
なお、固定側筐体１２０に搭載される各種部材には当業界で周知のいかなる技術をも適用することができるので、ここでは詳しい説明は省略する。
【００３５】
ヒンジ部１３０は、可動側筐体１１０を固定側筐体１２０に対して折り畳み可能に結合し、分割構造を採る。
【００３６】
動作において、ユーザは、カメラ１５５を利用して操作部１５０の各種機能を実行することにより、静止・動画を撮影することができる。この際、図１（ｄ）に示すように、切り替えリング１５５ｂはリアケース１２４から突出していないので操作性が向上する。また、リアケース１２４が切り替えリング１５５ｂを固定する機能を兼ね、クリック手段が従来の板バネを不要にするので部品点数を削減することができる。
【００３７】
以上、本発明の好ましい実施例を説明したが、本発明はこれらに限定されずその要旨の範囲内で種々の変形及び変更が可能である。
【図面の簡単な説明】
【００３８】
【図１】図１（ａ）乃至図１（ｅ）は、本発明の電子機器の一例としての携帯電話機の開口した状態の側面図、開口した状態の正面図、閉口した状態の上面図、閉口した状態の側面図、及び、閉口した状態の背面図である。
【図２】図１（ａ）乃至図１（ｅ）に示す携帯電話機の分解斜視図である。
【図３】図３（ａ）及び図３（ｂ）は、図１（ｄ）に示すカメラ近傍の部分拡大断面図及び平面図である。
【図４】図４（ａ）及び図４（ｂ）は、図３（ａ）に示すカメラに適用可能なクリック手段の一例を説明する図である。
【図５】従来のカメラの筐体近傍の部分断面図である。
【符号の説明】
【００３９】
１００                    移動式無線通信装置（携帯電話機）
１１０                    可動側筐体
１２０                    固定側筐体
１２８                    ホルダ
１２９                    カム部
１５５                    カメラ
１５５ｅ                  カメラパネル
１５５ｈ                  樹脂バネ
【図１】
2007155849.tif 000003
【図２】
2007155849.tif 000004
【図３】
2007155849.tif 000005
【図４】
2007155849.tif 000006
【図５】
2007155849.tif 000007